(57)【要約】　　　（修正有）【課題】通信設備に変圧器をビルトイン或いは外接する必要を無くして、コストを減らし、体積を薄くし、軽量とし、インストールプロセスにかかる時間を節約する。【解決手段】ＬＡＮ通信設備はブリッジに直流電源変圧器（ＤＣ　Ｐｏｗｅｒ　Ａｄａｐｔｏｒ）をビルトイン或いは外接せずに、コンピュータ設備のＵＳＢポートより通信設備作業時に必要な＋５Ｖ直流電圧を取得でき、そのうちブリッジは、連結装置によりコンピュータ設備のＬＡＮＲＪ４５ポートとＵＳＢポートの電源端に連接され、これにより本考案の通信設備がコンピュータ設備のＵＳＢポートより電源を導入すると同時にＬＡＮ信号変調と伝送の機能を実行する。【選択図】　　　　図５
0003096880.tif 000002
【実用新案登録請求の範囲】
【請求項１】
ＵＳＢポートとイーサネット（登録商標）信号伝送用のＲＪ４５ポートを具えたコンピュータ設備に連接されるイーサネット（登録商標）通信設備において、
この通信設備がＲＪ４５プラグとＵＳＢプラグを具え、該ＲＪ４５プラグが該ＲＪ４５ポートと連接されると共に信号伝送に用いられ、該ＵＳＢプラグが該ＵＳＢポートに連接されてコンピュータ設備よりこの通信設備の作業時に必要な直流電源を導入するのに用いられることを特徴とする、イーサネット（登録商標）通信設備。
【請求項２】
イーサネット（登録商標）ブリッジにおいて、
信号端と電源端を具え、該信号端が電気的にコンピュータ設備のＲＪ４５ポートに連接され、該電源端が電気的にコンピュータ設備のＵＳＢポートに連接された、伝送インタフェースと、
信号を電力線で伝送するための電源プラグと、
を具え、該イーサネット（登録商標）ブリッジが該伝送インタフェースによりコンピュータ設備のＵＳＢポートより直流電源を導入し、且つ該伝送インタフェースにより受け取ったイーサネット（登録商標）信号をＨｏｍｅＰｌｕｇ信号に変換し、さらに電源プラグを経由してＨｏｍｅＰｌｕｇ信号を該電力線で伝送し、そのうち該イーサネット（登録商標）ブリッジが信号の変換と伝送に必要な電力が該直流電源により提供されることを特徴とする、イーサネット（登録商標）ブリッジ。
【請求項３】
請求項２に記載のイーサネット（登録商標）ブリッジにおいて、伝送インタフェースがＲＪ４５インタフェースとされたことを特徴とする、イーサネット（登録商標）ブリッジ。
【請求項４】
請求項２に記載のイーサネット（登録商標）ブリッジにおいて、伝送インタフェースがＰＳ／２インタフェースとされたことを特徴とする、イーサネット（登録商標）ブリッジ。
【請求項５】
コンピュータ設備とイーサネット（登録商標）ブリッジを連接する連結装置において、該連結装置がイーサネット（登録商標）信号伝送線とＵＳＢ電源導入線の共用連結線に結合され、且つ該共用連結線のコンピュータ設備に連接される終端が、それぞれ標準のＲＪ４５プラグ及びＵＳＢプラグとされたことを特徴とする、連結装置。
【請求項６】
請求項５に記載の連結装置において、イーサネット（登録商標）信号伝送線が４線とされたことを特徴とする、連結装置。
【請求項７】
請求項５に記載の連結装置において、イーサネット（登録商標）信号伝送線が８線とされたことを特徴とする、連結装置。
【請求項８】
請求項５に記載の連結装置において、ＵＳＢ電源導入線が２線とされたことを特徴とする、連結装置。
【考案の詳細な説明】
【０００１】
【考案の属する技術分野】
本考案はコンピュータ設備のＵＳＢポートより＋５Ｖ直流電圧を取得するイーサネット（登録商標）通信設備に係り、該通信設備は余分の直流電源変圧器をビルトイン或いは外接する必要がなく、直接コンピュータ設備のＵＳＢポートよりコンピュータ設備の直流電源を取得して通信設備が行うイーサネット（登録商標）信号変調と伝送時に必要な電源に供する、イーサネット（登録商標）通信設備及びそのうちのブリッジと連結装置に関する。
【０００２】
【従来の技術】
パソコンの普及及びネットワークの急速な発展により、一つの家庭に二台以上のコンピュータ設備があることは珍しいことではなくなった。これにより家庭或いはオフィス内に、家屋或いはオフィス中の全てのコンピュータ設備を連接して、皆がこれらの設備を共有及び制御できるようにするホームネットワーク及びオフィスネットワークが構築されるようになった。
【０００３】
現在一般家庭及びオフィス内のコンピュータ設備の主要なＬＡＮ連接技術にはイーサネット（登録商標）インタフェース、ＵＳＢインタフェース及びワイヤレスＬＡＮインタフェースがある。そのうち、イーサネット（登録商標）及びＵＳＢは現在最も成熟し且つ普及したＬＡＮ連接技術であり、ほぼ全てのコンピュータ設備にイーサネット（登録商標）のＲＪ４５ソケットとＵＳＢソケットが配備されている。しかし、イーサネット（登録商標）には配線上の煩わしさの問題が常に存在し、ＵＳＢは駆動プログラムをコンピュータ設備にインストールしなければならない煩わしさがある。図１に示されるのは現在のイーサネット（登録商標）連接技術の一種類であり、この技術は、ネットワーク変調器６例えばＡＤＳＬモデム或いはケーブルモデムを利用して外界のインターネット７と連接し、外界とのコミュニケーションの情報パイプラインとしており、室内に数台のコンピュータ設備があって同時に外界インターネットと連繋したい場合には、まずハブ５と連接する。図１に示されるように、コンピュータ設備Ａ、Ｂ、Ｃ、Ｄは同一室内に配置された設備で、それぞれにネットワークカード（図示せず。しかしそのイーサネット（登録商標）伝送インタフェース１０、２０、３０、４０により各コンピュータ設備それぞれにネットワークカードが配置されていることを示している）が配置され、ネットワークケーブルによりハブと連接され、これにより、室内の各コンピュータ設備Ａ、Ｂ、Ｃ、Ｄは外界のインターネット７とのデータの伝送が行える。しかし前述したように、このような連接方式は、室内にあって大量のネットワークケーブル配線作業を行わねばならず、室内にもともとある電力コード、電話線のほか、余分にイーサネット（登録商標）ネットワークケーブルの配線が必要で、ネットワークケーブルの長さは事前に測っておくのがよく、そうでなければネットワークケーブル不足或いは過長となる状況が発生しうる。
【０００４】
このため、電話線ネットワーク（ＨｏｍｅＰＮＡ標準）連接技術が誕生した。この技術は各コンピュータ設備とＡＤＳＬ或いはケーブルモデムにそれぞれ電話変調器を連接し、イーサネット（登録商標）信号をＨｏｍｅＰＮＡ信号に変換して信号を電話線で伝送し、イーサネット（登録商標）ネットワークケーブルの施工レイアウトの問題を免除する。もともと室内に配置されていた電話線を利用してコンピュータ設備と外部モデムとの情報連繋を行うが、しかしこのような技術は室内環境にコンピュータ設備を増設する時には電話ソケットを増設して室内の電話線と連接しなれば既存の電話線を利用してその他の多くのコンピュータと連接して一つのＬＡＮを形成することができない。
【０００５】
室内中に最も広く分布し且つ最も多く埋め込まれているのは電力線であり、一般家庭或いはオフィスではどこでもコンセントを目にすることができ、すなわち、この優勢を利用して電源線ネットワーク（ＨｏｍｅＰｌｕｇ標準）連接技術が発展した。イーサネット（登録商標）信号をＨｏｍｅＰｌｕｇ信号に変換して建築物にもともとある電力線で伝送することにより、配線過多及び電話ソケットの増設の問題を免除でき、ホームネットワーク或いはオフィスネットワークを簡単に構築できる。
【０００６】
現在、電力線を利用してデータ伝送するイーサネット（登録商標）ブリッジには二種類があり、そのうちの一種は、イーサネット（登録商標）ブリッジであり、ＲＪ４５ソケットをコンピュータ設備との連接のインタフェースとして利用し（図２参照）、もう一種はＵＳＢブリッジであり、ＵＳＢソケットをコンピュータ設備との連接のインタフェースとして利用する（図３参照）。そのうち、イーサネット（登録商標）ブリッジ（２００、２２０）は、電力線（２１０）より１１０Ｖ／２２０Ｖの交流電力を取得してブリッジ自身が信号を伝送する時に必要な直流電源を供給し、該イーサネット（登録商標）ブリッジ（２００、２２０）は直流変圧器（２０３、２２３）をビルトインするか、或いは余分の直流電源変圧器を外接する必要があり、それによりその作業時に必要な直流電圧を提供できる。しかし、図３で使用するＵＳＢブリッジ（２５０）は直接それと連接されたコンピュータ設備（Ｆ）のＵＳＢポートより＋５Ｖ直流電力を取得し、自身が信号伝送する時に必要な直流電源を供給する。コンピュータ設備（Ｆ）自身の作業時には直流電圧を使用するため、ＵＳＢブリッジ８２５０）には変圧器をビルトインしなくてもそれが信号伝送する時に必要な電源を取得できる。
【０００７】
イーサネット（登録商標）ブリッジは変圧器をビルトイン或いは外接しなければならないため、全体装置のコストがＵＳＢブリッジより２〜４米ドル程度高くなり、且つ変圧器をビルトインすると、重量が重くなりすぎる。しかしイーサネット（登録商標）ブリッジはＵＳＢブリッジよりも普及しており、コンピュータ設備に連接する時に駆動プログラムをインストールする必要もない。反対に、ＵＳＢブリッジは対応するコンピュータ設備に連接される時、コンピュータ設備が新たに増設されたＵＳＢ装置を検出し、駆動プログラムのインストールを要求する。
【０００８】
【考案が解決しようとする課題】
以上を鑑み、本考案は周知の技術の有する欠点に対して、イーサネット（登録商標）信号伝送とＵＳＢ電源導入の機能を共に有する通信設備を提供する。その目的は、通信設備に変圧器をビルトインする必要をなくし、直接連接されたコンピュータ設備のＵＳＢポートより直流電源を提供し、且つ通信設備とコンピュータ設備の間の信号伝送インタフェースとしてイーサネット（登録商標）を用い、これにより、コンピュータ設備に駆動プログラムをインストールする必要をなくし、通信設備に変圧器をビルトイン或いは外接する必要を無くして、コストを減らし、体積を薄くし、軽量とし、インストールプロセスにかかる時間を節約する特性を達成することにある。
【０００９】
本考案のもう一つの目的は、一種のＵＳＢ電力取得のイーサネット（登録商標）ブリッジを提供し、コンピュータの出力するイーサネット（登録商標）信号を電力線で伝送されるＨｏｍｅＰｌｕｇ信号に変換し、並びに電力線の遠端のもう一つのイーサネット（登録商標）ブリッジと連接し、再度イーサネット（登録商標）信号に変換し、ＡＤＳＬ或いはケーブルモデムでオンラインできるようにすることにある。注意すべきことは、この応用の電力線はＨｏｍｅＰｌｕｇ信号伝送用途に用いられ、並びにブリッジ電源取得のために用いられるのではないことである。該ブリッジは変圧器をビルトイン或いは外接する必要がなく、コンピュータ設備よりその作業時に必要な直流電圧を取得できる。
【００１０】
該イーサネット（登録商標）ブリッジは電源ソケット、伝送インタフェースを具えている。そのうち、イーサネット（登録商標）ブリッジは伝送インタフェースによりコンピュータ設備のＵＳＢポートより直流電源を取得し、且つ伝送インタフェースにより受け取ったイーサネット（登録商標）信号をＨｏｍｅＰｌｕｇ信号に変換し、さらに電源ソケットを経由してＨｏｍｅＰｌｕｇ信号を電力線で伝送し、そのうちイーサネット（登録商標）ブリッジの信号の変換と伝送に必要な電力は直流電源より提供される。この連接を透過し、ブリッジに別に電源変換器回路或いは外接変圧器を設計する必要がなくなり、イーサネット（登録商標）ブリッジがコンピュータ設備と電力線との間の信号を変調、伝送する時に必要な作業電圧を取得できる。
【００１１】
本考案のもう一つの目的は、一種の連結装置を提供することにある。それは、イーサネット（登録商標）信号伝送線（４或いは８線）及びＵＳＢ電源導入線（２線）で形成された共用連結線を具え、コンピュータ設備とイーサネット（登録商標）ブリッジを連接し、且つ共用連結線のコンピュータ設備と連接される終端が標準のＲＪ４５及びＵＳＢソケットとされる。そのうちＵＳＢソケットはただコンピュータ設備のＵＳＢポートの電源部分に連接され、コンピュータ設備に連接される時、コンピュータ設備はＵＳＢ装置の存在を検出せず、それにより別に駆動プログラムをコンピュータ設備にインストールする必要がない。ＲＪ４５ソケットはコンピュータ設備とブリッジ間のイーサネット（登録商標）信号の伝送に用いられる。
【００１２】
総合すると、本考案は変圧器をビルトイン或いは外接する必要がなく、また、別に駆動プログラムをインストールする必要のない状況で、コストが低く、体積が軽薄で、プログラムインストールプロセス及び時間を免除できる効果を有するものとする。
【００１３】
【課題を解決するための手段】
請求項１の考案は、ＵＳＢポートとイーサネット（登録商標）信号伝送用のＲＪ４５ポートを具えたコンピュータ設備に連接されるイーサネット（登録商標）通信設備において、
この通信設備がＲＪ４５プラグとＵＳＢプラグを具え、該ＲＪ４５プラグが該ＲＪ４５ポートと連接されると共に信号伝送に用いられ、該ＵＳＢプラグが該ＵＳＢポートに連接されてコンピュータ設備よりこの通信設備の作業時に必要な直流電源を導入するのに用いられることを特徴とする、イーサネット（登録商標）通信設備としている。
請求項２の考案は、イーサネット（登録商標）ブリッジにおいて、
信号端と電源端を具え、該信号端が電気的にコンピュータ設備のＲＪ４５ポートに連接され、該電源端が電気的にコンピュータ設備のＵＳＢポートに連接された、伝送インタフェースと、
信号を電力線で伝送するための電源プラグと、
を具え、該イーサネット（登録商標）ブリッジが該伝送インタフェースによりコンピュータ設備のＵＳＢポートより直流電源を導入し、且つ該伝送インタフェースにより受け取ったイーサネット（登録商標）信号をＨｏｍｅＰｌｕｇ信号に変換し、さらに電源プラグを経由してＨｏｍｅＰｌｕｇ信号を該電力線で伝送し、そのうち該イーサネット（登録商標）ブリッジが信号の変換と伝送に必要な電力が該直流電源により提供されることを特徴とする、イーサネット（登録商標）ブリッジとしている。
請求項３の考案は、請求項２に記載のイーサネット（登録商標）ブリッジにおいて、伝送インタフェースがＲＪ４５インタフェースとされたことを特徴とする、イーサネット（登録商標）ブリッジとしている。
請求項４の考案は、請求項２に記載のイーサネット（登録商標）ブリッジにおいて、伝送インタフェースがＰＳ／２インタフェースとされたことを特徴とする、イーサネット（登録商標）ブリッジとしている。
請求項５の考案は、コンピュータ設備とイーサネット（登録商標）ブリッジを連接する連結装置において、該連結装置がイーサネット（登録商標）信号伝送線とＵＳＢ電源導入線の共用連結線に結合され、且つ該共用連結線のコンピュータ設備に連接される終端が、それぞれ標準のＲＪ４５プラグ及びＵＳＢプラグとされたことを特徴とする、連結装置としている。
請求項６の考案は、請求項５に記載の連結装置において、イーサネット（登録商標）信号伝送線が４線とされたことを特徴とする、連結装置としている。
請求項７の考案は、請求項５に記載の連結装置において、イーサネット（登録商標）信号伝送線が８線とされたことを特徴とする、連結装置としている。
請求項８の考案は、請求項５に記載の連結装置において、ＵＳＢ電源導入線が２線とされたことを特徴とする、連結装置としている。
【００１４】
【考案の実施の形態】
図４は本考案の好ましい実施例の通信設備の立体表示図である。この通信設備はイーサネット（登録商標）ブリッジ３００と連結装置３１０で組成され、そのうちイーサネット（登録商標）ブリッジ３００は外表に電源プラグ３０２及び伝送インタフェース３０１を具え、連結装置３１０はイーサネット（登録商標）信号伝送線（４或いは８線）及びＵＳＢ電源導入線（２線）で形成された共用連結線とされ、それは共用プラグ３１１、ＲＪ４５プラグ３１２、ＵＳＢプラグ３１３及び連結線３１４を具えている。
【００１５】
イーサネット（登録商標）ブリッジ３００の伝送インタフェース３０１はＲＪ４５インタフェース或いはＰＳ／２インタフェースとされ得て、且つ信号端と電源端を内部に具え、連結装置３１０の共用プラグ３１１と結合され、連結線３１４の一端は共用プラグ３１１と連結され、もう一端は子連結線３１４ａ及び３１４ｂを利用して分岐しＲＪ４５プラグ３１２及びＵＳＢプラグ３１３に連結されている。
【００１６】
コンピュータ設備及びコンセントを有する環境にあっては、図５に示されるように、コンピュータ設備３３０がＲＪ４５ポート３３２とＵＳＢポート３３４を具え、コンセント３２２は室内に配置された電力線３２０に連接され、上述の通信設備はこのような環境中にあって、コンピュータ設備３３０とコンセント３２２を連接し、そのうち、室内に配置されたコンセント３２２はイーサネット（登録商標）ブリッジ３００の電源プラグ３０２に連接され、コンピュータ設備３３０のＲＪ４５ポート３３２とＵＳＢポート３３４はそれぞれ連結装置３１０のＲＪ４５プラグ３１２とＵＳＢプラグ３１３に連接される。
【００１７】
上述のコンピュータ設備とコンセントを具えた環境中にあって、本考案の提供する通信設備は信号伝送と電源導入の機能を共に具えている。以下に本考案の提供する通信設備がいかに信号伝送と電源導入の動作を行うかについて説明を行うと共に、イーサネット（登録商標）ブリッジ３００の内部回路及び連結装置についても説明し、本考案が上述の目的を達成できるほか、内蔵変圧器を不要とし、また、別に駆動プログラムをコンピュータにインストールする必要をなくす機能を具えていることを説明する。
【００１８】
図６は本考案の通信設備のブロック回路図である。そのうちイーサネット（登録商標）ブリッジ３００は前述したように、電源プラグ３０２及び伝送インタフェース３０１を具え、そのうち、電源プラグ３０２は室内に設けられた任意の電源コンセントに差し込まれる。注意すべきは、電源プラグ３０２は本考案にあって、ＨｏｍｅＰｌｕｇの信号を電力線で伝送するのに用いられ、イーサネット（登録商標）ブリッジ３００の電源を導入するために用いられるのではないことである。伝送インタフェース３０１は連結装置３１０の共用プラグ３１１に連接される。このほか、イーサネット（登録商標）ブリッジ３００内部には、通信チップ（図示せず）があり、この通信チップ内に信号変調伝送器３４０と電源導入変換器３５０が設けられ、そのうち信号変調伝送器３４０は電気的に電源プラグ３０２と伝送インタフェース３０１の信号端に連接され、電源導入変換器３５０は電気的に信号変調伝送器３４０と伝送インタフェース３０１の電源端に連接される。
【００１９】
上述の通信設備が環境中のコンピュータ設備とコンセントに連接された後、イーサネット（登録商標）ブリッジ３００の電源導入変換器３５０がコンピュータ設備３３０より直流電源を導入し、この直流電源が連結装置３１０のＵＳＢプラグ３１３、子連結線３１４ｂ、連結線３１４と共用プラグ３１１を経由してイーサネット（登録商標）ブリッジ３００に導入され、その後、伝送インタフェース３０１の電源端により電源導入変換器３５０がコンピュータ設備の直流電源を導入し、イーサネット（登録商標）ブリッジ３００内の信号変調伝送器３４０が信号伝送時に必要な作業電圧を得るため、電源導入変換器３５０がさらに導入した直流電源を作業電圧に変換し、例えば導入した直流電源が５Ｖの直流電圧であれば、電子装置作業時に必要な電圧により１．５Ｖ、２．５Ｖ、３．３Ｖ等の作業電圧に変換し、ただし、もし電子装置の必要な作業電圧が５Ｖであれば、電圧変換の操作は行う必要がなく、これは電子装置の作業電圧特性により決定される。
【００２０】
このほか、信号変調伝送器３４０は伝送インタフェース３０１により受け取ったイーサネット（登録商標）信号をＨｏｍｅＰｌｕｇ信号に変換し、さらに電源プラグ３０２でＨｏｍｅＰｌｕｇ信号を電力線で伝送する。こうして信号伝送と電源導入の目的を達成し、且つイーサネット（登録商標）ブリッジ３００中に余分の変圧器をビルトインする必要なく直流電圧を取得でき、これにより本考案はコンピュータ設備より直流電圧を取得し、余分の変圧器を必要とせずに直流電圧を取得できる。
【００２１】
このほか、連結装置３１０の部分にあって、そのうちのＲＪ４５プラグ３１２は８本のピンを有するＲＪ４５プラグとされうるが、本考案は信号伝送上、僅かに４本の信号線があれば信号の出力と受信を行え、同様に、ＵＳＢプラグ３１３は４本のピンを具えたＵＳＢプラグとされうるが、しかし、ＵＳＢプラグが伝送するのは僅かに電源であり、ゆえに、ただそのうちの＋５ＶとＧＮＤの２本の線があれば本考案の直流電源伝送の目的を完成でき、イーサネット（登録商標）ブリッジ３００の伝送インタフェース３０１はＲＪ４５インタフェース或いはＰＳ／２インタフェースに限定されるわけではなく、その必要なピン数量は僅かにＲＪ４５プラグ３１２及びＵＳＢプラグ３１３の使用ピン数量をカバーできればよい。
【００２２】
上述したように、電源導入するプラグにＵＳＢプラグ３１３を採用する設計にあって、僅かにＵＳＢプラグ３１３の２本の電源線を利用し、コンピュータ設備と外界との情報信号の伝送には利用しないため、コンピュータ設備はＵＳＢ装置の存在を検出せず、ゆえに使用者にこのＵＳＢ装置の駆動プログラムのインストールを要求することもない。
【００２３】
以上の本考案の提供する好ましい実施例の通信設備は二種類の連接ポート、例えばＲＪ４５ポートとＵＳＢポートを共に具えたコンピュータ設備に適用されるが、もしその連接されるコンピュータ設備（現在使用されているＡＤＳＬモデム或いはケーブルモデム）が本考案の連結装置のＵＳＢプラグに対応するＵＳＢポートを具えていなければ、別に一つの直流アダプタを増設して連結装置のＵＳＢプラグと連接すればよく、この直流アダプタは電源プラグと、ＵＳＢプラグに対応するＵＳＢポートを具え、例えば連結装置がＵＳＢプラグで電源を導入するならば、直流アダプタはＵＳＢポートを具備していなければならず、こうして通信設備が連接されるコンピュータ設備が連結装置のＵＳＢプラグに対応するＵＳＢポートを具備していてもいなくとも、いずれも本考案の提供する通信設備を利用し信号伝送と電力導入を行うことができる。
【００２４】
【考案の効果】
総合すると、本考案の提供する通信設備の長所は以下のとおりである。すなわち、変圧器をビルトイン或いは外接する必要なく、自動的にコンピュータ設備より作業時に必要な直流電圧を取得でき、コンピュータ設備が電力線を介して信号を伝送する時に必要な作業電圧を供給する。且つ、ＵＳＢプラグが直流電源導入に使用される時、それが連接されたコンピュータ設備がＵＳＢ装置として検出せず、このため別に駆動プラグラムをコンピュータ設備にインストールする必要がない。さらに、本考案の提供する通信設備は上述の機能を達成した後、周知の技術よりも製造コストが低く、体積が軽薄で、インストールプロセス及び時間を免除できる機能を有している。
【００２５】
以上は本考案の好ましい実施例の説明に過ぎず、本考案の実施範囲を限定するものではなく、本考案に基づきなしうる細部の修飾或いは改変は、いずれも本考案の請求範囲に属するものとする。
【図面の簡単な説明】
【図１】現在のイーサネット（登録商標）連接技術を表示するブロック図である。
【図２】周知の変圧器をビルトインしたイーサネット（登録商標）ブリッジの使用ブロック図である。
【図３】周知の変圧器を具備しないイーサネット（登録商標）ブリッジの使用ブロック図である。
【図４】本考案の好ましい実施例の通信設備の立体表示図である。
【図５】図４の通信設備の立体使用状態図である。
【図６】本考案の好ましい実施例の通信設備の回路ブロック図である。
【符号の説明】
Ａ、Ｂ、Ｃ、Ｄ、Ｅ、Ｆ　コンピュータ設備
Ｅ１、２０１、２２１、２３１　ＲＪ４５伝送インタフェース
Ｆ１、２５１、２８１、２９１　ＵＳＢ伝送インタフェース
１０、２０、３０、４０　ＲＪ４５伝送インタフェース
２００、２２０　ＲＪ４５ブリッジ
２０２、２２２、２８２　電源プラグ
２０３、２２３　変圧器
２１０、２６０、３２０　電力線
２１２、２１４、２６２、２６４　コンセント
２５０、２８０　ＵＳＢブリッジ
３００　イーサネット（登録商標）ブリッジ
３０１　伝送インタフェース
３０２　電源プラグ
３１０　連結装置
３１１　共用プラグ
３１２　ＲＪ４５プラグ
３１３　ＵＳＢプラグ
３１４　連結線
３１４ａ　子連結線
３１４ｂ　子連結線
３２２　コンセント
３３０　コンピュータ設備
３３２　ＲＪ４５ポート
３３４　ＵＳＢポート
３４０　信号変調伝送器
３５０　電源導入変換器
５　ハブ
６、２３０、２９０　ネットワーク変調器
７、２４０　インターネット
【図１】
0003096880.tif 000003
【図２】
0003096880.tif 000004
【図３】
0003096880.tif 000005
【図４】
0003096880.tif 000006
【図５】
0003096880.tif 000007
【図６】
0003096880.tif 000008
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
ＵＳＢポートとＬＡＮ信号伝送用のＲＪ４５ポートを具えたコンピュータ設備に連接されるＬＡＮ通信設備において、
この通信設備がＲＪ４５プラグとＵＳＢプラグを具え、該ＲＪ４５プラグが該ＲＪ４５ポートと連接されると共に信号伝送に用いられ、該ＵＳＢプラグが該ＵＳＢポートに連接されてコンピュータ設備よりこの通信設備の作業時に必要な直流電源を導入するのに用いられることを特徴とする、ＬＡＮ通信設備。
【請求項２】
ＬＡＮブリッジにおいて、
信号端と電源端を具え、該信号端が電気的にコンピュータ設備のＲＪ４５ポートに連接され、該電源端が電気的にコンピュータ設備のＵＳＢポートに連接された、伝送インタフェースと、
信号を電力線で伝送するための電源プラグと、
を具え、該ＬＡＮブリッジが該伝送インタフェースによりコンピュータ設備のＵＳＢポートより直流電源を導入し、且つ該伝送インタフェースにより受け取ったＬＡＮ信号をＨｏｍｅＰｌｕｇ信号に変換し、さらに電源プラグを経由してＨｏｍｅＰｌｕｇ信号を該電力線で伝送し、そのうち該ＬＡＮブリッジが信号の変換と伝送に必要な電力が該直流電源により提供されることを特徴とする、ＬＡＮブリッジ。
【請求項３】
請求項２に記載のＬＡＮブリッジにおいて、伝送インタフェースがＲＪ４５インタフェースとされたことを特徴とする、ＬＡＮブリッジ。
【請求項４】
請求項２に記載のＬＡＮブリッジにおいて、伝送インタフェースがＰＳ／２インタフェースとされたことを特徴とする、ＬＡＮブリッジ。
【請求項５】
コンピュータ設備とＬＡＮブリッジを連接する連結装置において、該連結装置がＬＡＮ信号伝送線とＵＳＢ電源導入線の共用連結線に結合され、且つ該共用連結線のコンピュータ設備に連接される終端が、それぞれ標準のＲＪ４５プラグ及びＵＳＢプラグとされたことを特徴とする、連結装置。
【請求項６】
請求項５に記載の連結装置において、ＬＡＮ信号伝送線が４線とされたことを特徴とする、連結装置。
【請求項７】
請求項５に記載の連結装置において、ＬＡＮ信号伝送線が８線とされたことを特徴とする、連結装置。
【請求項８】
請求項５に記載の連結装置において、ＵＳＢ電源導入線が２線とされたことを特徴とする、連結装置。
【手続補正２】
【補正対象書類名】明細書
【補正対象項目名】００１３
【補正方法】変更
【補正の内容】
【００１３】
【課題を解決するための手段】
請求項１の考案は、ＵＳＢポートとＬＡＮ信号伝送用のＲＪ４５ポートを具えたコンピュータ設備に連接されるＬＡＮ通信設備において、
この通信設備がＲＪ４５プラグとＵＳＢプラグを具え、該ＲＪ４５プラグが該ＲＪ４５ポートと連接されると共に信号伝送に用いられ、該ＵＳＢプラグが該ＵＳＢポートに連接されてコンピュータ設備よりこの通信設備の作業時に必要な直流電源を導入するのに用いられることを特徴とする、ＬＡＮ通信設備としている。
請求項２の考案は、ＬＡＮブリッジにおいて、
信号端と電源端を具え、該信号端が電気的にコンピュータ設備のＲＪ４５ポートに連接され、該電源端が電気的にコンピュータ設備のＵＳＢポートに連接された、伝送インタフェースと、
信号を電力線で伝送するための電源プラグと、
を具え、該ＬＡＮブリッジが該伝送インタフェースによりコンピュータ設備のＵＳＢポートより直流電源を導入し、且つ該伝送インタフェースにより受け取ったＬＡＮ信号をＨｏｍｅＰｌｕｇ信号に変換し、さらに電源プラグを経由してＨｏｍｅＰｌｕｇ信号を該電力線で伝送し、そのうち該ＬＡＮブリッジが信号の変換と伝送に必要な電力が該直流電源により提供されることを特徴とする、ＬＡＮブリッジとしている。
請求項３の考案は、請求項２に記載のＬＡＮブリッジにおいて、伝送インタフェースがＲＪ４５インタフェースとされたことを特徴とする、ＬＡＮブリッジとしている。
請求項４の考案は、請求項２に記載のＬＡＮブリッジにおいて、伝送インタフェースがＰＳ／２インタフェースとされたことを特徴とする、ＬＡＮブリッジとしている。
請求項５の考案は、コンピュータ設備とＬＡＮブリッジを連接する連結装置において、該連結装置がＬＡＮ信号伝送線とＵＳＢ電源導入線の共用連結線に結合され、且つ該共用連結線のコンピュータ設備に連接される終端が、それぞれ標準のＲＪ４５プラグ及びＵＳＢプラグとされたことを特徴とする、連結装置としている。
請求項６の考案は、請求項５に記載の連結装置において、ＬＡＮ信号伝送線が４線とされたことを特徴とする、連結装置としている。
請求項７の考案は、請求項５に記載の連結装置において、ＬＡＮ信号伝送線が８線とされたことを特徴とする、連結装置としている。
請求項８の考案は、請求項５に記載の連結装置において、ＵＳＢ電源導入線が２線とされたことを特徴とする、連結装置としている。